(57)【要約】【課題】毛髪の生え際等の染毛操作も簡単、かつ良好に行なえる毛染め用くしを提供する。【解決手段】  柄部１の一方の端部に、くし部２、刷毛部４、及び小型のくし部３とを備え、前記くし部２、刷毛部４、及び小型のくし部３を任意の角度で互いに異なる方向へ向けて配置する。生え際等は小型のくし部３を用いて染毛する。【選択図】図１
2005021666.tif 000002
【特許請求の範囲】
【請求項１】
染毛に使用する毛染め用くしにおいて、柄部の一方の端部に、くし部、刷毛部、及び小型のくし部とを備え、
前記くし部、刷毛部、及び小型のくし部は、任意の角度で互いに異なる方向へ向けて配置されていることを特徴とする、
毛染め用くし。
【請求項２】
前記くし部は柄部の一方の端部における一側面部側に配置されていると共に前記小型のくし部は前記くし部と反対側の側面部側に配置され、
前記刷毛部は、刷毛材を植設した基台部の一端部にスライス部を備え、
前記刷毛部は、前記スライス部を柄部の前記一方の端部から突出させる方向へ向けて前記柄部の端部に着脱可能に取付けるように構成されていることを特徴とする、請求項１に記載の毛染め用くし。
【請求項３】
前記スライス部は前記基台部に一体的に形成されていることを特徴とする、請求項１又は２に記載の毛染め用くし。
【請求項４】
前記スライス部は前記基台部に着脱可能に取付けてあることを特徴とする、請求項１又は２に記載の毛染め用くし。
【請求項５】
前記くし部は柄部の一方の端部における一側面部側に配置されていると共に前記刷毛部は前記くし部と反対側の側面部側に配置され、
前記小型のくし部は、くし刃を設けた小型のくし用のくし台の一端にスライス部を備え、
前記小型のくし部は、前記スライス部を柄部の前記一方の端部から突出させる方向へ向けて前記柄部の端部に着脱可能に取付けるように構成されていることを特徴とする、請求項１記載の毛染め用くし。
【請求項６】
前記スライス部は小型のくし用のくし台に一体的に形成されていることを特徴とする、請求項１又は５に記載の毛染め用くし。
【請求項７】
前記スライス部は小型のくし用のくし台に着脱可能に取付けてあることを特徴とする、請求項１又は５に記載の毛染め用くし。
【発明の詳細な説明】
【技術分野】
【０００１】
本発明は毛髪を染色する際に使用する毛染め用くしに関する。
【背景技術】
【０００２】
従来、染毛に使用する毛染め用くしとして、柄部の先端部の一側面にくし部を、また、他側面に刷毛部を設けたものが一般に知られている（例えば、特許文献１参照）。そして、従来は一般に、前記刷毛部に染毛剤を付着させ、それを毛髪に塗布した後、くし部で毛髪を梳いて染毛剤を均一にのばして毛髪全体にいきわたらせて染毛している。
【０００３】
従来の毛染め用くしは上述したように、刷毛部で毛髪に塗布した染毛剤をくし部で均一にのばして毛髪全体にいきわたらせるようにして染毛するもので、これにより毛髪をほぼ全体的に染毛することができる。しかるに、前記くし部で毛髪を梳いて染毛する場合、例えば毛髪の生え際等の染毛操作がし難いため、染め残し部分が生じることがあり、その修正に手間が掛る問題を有している。
【特許文献１】特開２００２−１０１９４３号公報
【発明の開示】
【発明が解決しようとする課題】
【０００４】
本発明は上記のような実情に鑑み、毛髪の生え際等の染毛も簡単、かつ、円滑良好に行なうことができる毛染め用くしを提供することを目的とするものである。
【課題を解決するための手段】
【０００５】
上記目的を達成するため、本発明のうち１つの発明（第１の発明）は、染毛に使用する毛染め用くしにおいて、柄部の一方の端部に、くし部、刷毛部、及び小型のくし部とを備え、前記くし部、刷毛部、及び小型のくし部は、任意の角度で互いに異なる方向へ向けて配置されていることを特徴とする。
【０００６】
本発明において、柄部の一方の端部に備える前記くし部、刷毛部、及び小型のくし部の配置部位及び角度は任意に設定することができる。具体的には本発明の毛染め用くしは、前記くし部、刷毛部、及び小型のくし部のそれぞれの配置部位及び角度は何ら限定はなく、前者三者を任意の角度で互いに異なる方向へ向けて配置して設けたものを全て含む。また、前記くし部、刷毛部、及び小型のくし部は柄部と一体的に形成してもよく、或いは着脱可能に取付けるように構成することもできる。
【０００７】
本発明のうち、他の１つの発明（第２の発明）は、第１の発明の毛染め用くしにおいて、前記くし部は柄部の一方の端部における一側面部側に配置されていると共に前記小型のくし部は前記くし部と反対側の側面部側に配置され、前記刷毛部は、刷毛材を植設した基台部の一端部にスライス部を備え、前記刷毛部は前記スライス部を柄部の前記一方の端部から突出させる方向へ向けて前記柄部の端部に着脱可能に取付けるように構成されていることを特徴とする。
【０００８】
本発明において、前記スライス部は前記基台部に一体的に形成することができる。また、前記スライス部は前記基台部に着脱可能に取付ける構成を採用することもできる。
【０００９】
本発明のうち、さらに他の１つの発明（第３の発明）は、第１の発明の毛染め用くしにおいて、前記くし部は柄部の一方の端部における一側面部側に配置されていると共に前記刷毛部は前記くし部と反対側の側面部側に配置され、前記小型のくし部は、くし刃を設けた小型のくし用のくし台の一端にスライス部を備え、前記小型のくし部は、前記スライス部を柄部の前記一方の端部から突出させる方向へ向けて前記柄部の端部に着脱可能に取付ける用に構成されていることを特徴とする。
【００１０】
本発明において、前記スライス部は前記小型のくし用のくし台に一体的に形成することができる。また、前記スライス部は前記小型のくし部に着脱可能に取付ける構成を採用することもできる。
【００１１】
なお、本発明において、「着脱可能」の用語は、着脱（取付け及び取外し）を自由に行なえる構成は勿論、一旦取付けた後は、取外しできないように構成する場合も含む意味として用いられている。
【発明の効果】
【００１２】
本発明によれば、上述した従来の毛染め用くしと同様に刷毛部に染毛剤を付着させ、それを毛髪に塗布すると共に、くし部で毛髪を梳いて染毛剤を均一にのばして毛髪全体にいきわたらせて染毛することができる。そして、生え際等は小型のくし部を用い、毛髪を梳いて染毛することができる。これにより、生え際等の染毛操作も簡単、かつ、円滑良好に行なうことができる。
第２及び第３の発明によれば、前記効果に加え、刷毛部（第２の発明）又は小型のくし部（第３の発明）は着脱可能に取付けるように構成されているので、収容スペースを小さくすることができる。したがって、包装をコンパクト化することができる。また、スライス部は刷毛部又は小型のくし部に設けてあるので、柄部を持ち代えることなく、スライス部を使用することができる。
【発明を実施するための最良の形態】
【００１３】
以下、本発明の実施の形態の一例を説明する。
【００１４】
図１は本発明の毛染め用くしの一実施の形態を示すもので、同図ａは全体構成の概要を示す正面図、同図ｂは同上毛染め用くしに採用したスライス部を示す正面図、同図ｃは同図ａのＡ−Ａ線拡大断面図、図２は同上毛染め用くしの要部の概要を示す斜視図である。
【００１５】
上記図において、この実施の形態（実施の形態１）の毛染め用くしは、柄部１の一方の端部（図１ａにおいて上端部）に、くし部２、小型のくし部３、及び刷毛部４とを備えている。
【００１６】
実施の形態１の柄部１は、適当な巾、厚さ、及び長さのほぼ矩形の平板状に形成され、柄部１の一方の端部には平板状のくし台５が一体的に形成して延設されている。くし部２は前記くし台５の一側面部側に一体的に形成されていると共に小型のくし部３は前記くし台５の他側面部側に一体的に形成されている。
【００１７】
前記くし部２は適当な長さの適当本数のくし刃２１を適当な間隔（ピッチ）で並列して構成されている。また、前記小型のくし部３も適当な長さの適当本数のくし刃３１を適当な間隔（ピッチ）で並列して構成されている。小型のくし部３の長さ（図１ａにおいて、最上部のくし刃３１から最下部のくし刃３１までの長さ）は前記くし部２の長さ（図１ａにおいて、最上部のくし刃２１から最下部のくし刃２１までの長さ）より短く形成してある。なお、小型のくし部３の各くし刃３１間の間隔は、くし部２の各くし刃２１間の間隔より狭く形成することが好ましい。但し、両者の間隔を同一に形成することも可能である。
【００１８】
前記刷毛部４はくし台５の正面又は背面（図示では正面）に設けてある。刷毛部４は基台部４１に適当本数の刷毛材４２を植設して構成されている。実施の形態１の刷毛部４は基台部４１をくし台５の長手方向に向けて一体的に形成して設けたものが開示されている。
【００１９】
前記柄部１、くし台５、くし部２、小型のくし部３、及び刷毛部４の基台部４１は上述したように一体成型により形成されている。これらの素材は特に限定されないが、熱可塑性樹脂、例えばＰＰ（ポリプロピレン），ポリアセタール，アクリロニトル・ブタジエン・スチレン樹脂，アクリルニトル・スチレン樹脂等を使用することができる。また、前記刷毛部材４２の素材も特に限定されないが、例えばナイロン，ポリエチレン，ポリプロピレン等を使用することができる。
【００２０】
なお、実施の形態１においては、くし部２と刷毛部４とが交叉する角度７ａ、及び刷毛部４と小型くし部３とが交叉する角度７ｂを夫々ほぼ直角（ほぼ９０度）になるように設定して設けた例を開示したが、前記角度７ａ及び７ｂは任意に変更可能なものである。上記した角度の変形態様については後述する各実施の形態においても同様である。
【００２１】
また、実施の形態１においては、くし部２、小型のくし部３、及び刷毛部４を柄部１に対して平行の方向に配置して設けたものを開示したが、前記三者２，３，及び４のうちいずれか、或いは全部を柄部１に対して任意の角度を付与させて配置するように構成することも勿論可能である。前記角度の付与手段は任意の構成を採用できるものであるが、例えばくし台５の所望部位の先端部（図１ａにおいて上端側）に、例えば先細となるような傾斜部やテーパー部を形成する等の方法が挙げられる。但し、上記以外の方法を採用することも勿論可能である。前記三者２，３，及び４の上記した角度の付与構成については後述する各実施の形態においても同様である。
【００２２】
実施の形態１の毛染め用くしは、前記柄部１の他方の端部（図１ａにおいて下端部）にスライス部６を備えている。スライス部６は主に毛髪をかき分ける際に使用される。実施の形態１のスライス部６は差込孔６１を形成した鞘部６２の後部に適当長さのスライス棒６３を一体成型して構成されている。また、柄部１の他方の端部には前記差込孔６１に差し込む差込片１１が一体成型により設けてある。そして、差込片１１を鞘部６２の前記孔６１へ差し込んでスライス部６を柄部１に対して着脱可能に取付けるように構成してある。
【００２３】
前記スライス部は前記柄部１等と同様の熱可塑性樹脂等で構成することができる。なお、実施の形態１では、スライス部６を柄部１に対して着脱可能に構成したものを開示したが、スライス部６はヒンヂ部（図示せず）等を介して柄部１に取付け、二つ折り可能に設ける構成を採用してもよい。また、スライス部６は柄部１と一体的に形成することもできる。前記スライス部６は所望に応じて設けるもので、省略することもできる。このスライス部６に関しては以下に述べる実施の形態（実施の形態２及び３）においても同様である。
【００２４】
実施の形態１の毛染め用くしは上記のように構成したもので、従来の毛染め用くしと同様に刷毛部４に染毛剤を付着させ、それを毛髪に塗布すると共に、くし部２で毛髪を梳いて染毛剤を均一にのばして毛髪全体にいきわたらせて染毛することができる。そして、生え際等は小型のくし部３を用いて生え際等の毛髪を梳いて染毛することができる。このように、実施の形態１の毛染め用くしによれば、生え際等の染毛操作も簡単、かつ、円滑良好に行なうことができる。
【００２５】
図３は本発明の毛染め用くしの他の実施の形態（実施の形態２）の要部を示す説明図である。この毛染め用くしにおいては、実施の形態１で既に説明した構成と共通する部材等には同一符号を付し、説明は省略する。実施の形態２は柄部１に対する刷毛部４の取付け構成に特徴がある。
【００２６】
即ち、実施の形態２は、刷毛部４をくし台５と別体に形成し、くし台５に対して着脱可能に取付けるように構成してある。実施の形態２では、刷毛部４の基台部４１の下端部における両側面に係合爪部４３を設けると共に、くし台５の所定部に基台部４１の下端部を嵌合する嵌合凹部１２が設けてある。また嵌合凹部１２の上端壁には前記突部と係合する係止用の突部１３が形成されている。そして、基台部４１の下端部を嵌合凹部１２内に押し込んで嵌合させることにより前記爪部４３を前記突部１３と係合させて脱抜を防止し、刷毛部４をくし台５に取付けるように構成してある。前記刷毛部４は基台部４１を強く引っ張ることにより、嵌合凹部１２から取り外すことができるように構成してある。他の構成は実施の形態１と同様である。
【００２７】
実施の形態２の毛染め用くしは上記のように構成したもので、実施の形態１と全く同様に使用する。これにより実施の形態１と同様の作用効果を奏する。
【００２８】
なお、実施の形態２の毛染め用くしにおいて、前記基台部４１は、これを嵌合凹部１２に一旦嵌合した後は、取り外しできないように構成することもできる。また、基台部４１の前記爪部４３及び前記凹部１２の突部１３を設けることなく、接着剤を用いて基台部４１の下端部を凹部１２に嵌合接着して固定し、取付ける構成を採用してもよい。さらにまた、くし台５に前記凹部１２を設けないで基台部４１の下端面をくし台５の所定部に接着剤で接着して固定する構成を採用することもできる。刷毛部４のくし台５に対する上記した取付態様については、後述する実施の形態３においても同様である。
【００２９】
図４は本発明の毛染め用くしのさらに他の実施の形態（実施の形態３）の要部を示す説明図である。この毛染め用くしにおいて、実施の形態１で既に説明した構成と共通する部材等には同一の符号を付して説明を省略する。実施の形態３は刷毛部４及び小型のくし部３の配置部位の構成に特徴がある。
【００３０】
即ち、実施の形態３においては、刷毛部４をくし台５の他側面部側（くし部２の取付面と反対側の側面）に配置して設けると共に小型のくし部３をくし台５の正面又は背面（図示では正面）に設けてある。また、くし台５の正面に一体的に形成した小型のくし部３用のくし台３２を備えている。他の構成は実施の形態１と同様である。
【００３１】
実施の形態３の毛染め用くしは上記のように構成したもので、実施の形態１と同様に使用できる。これにより実施の形態１と同様の作用効果を奏する。
【００３２】
なお、実施の形態３においては、くし部２と小型のくし部３とが交叉する角度、及び小型のくし部３と刷毛部４とが交叉する角度は夫々ほぼ９０度に設定して設けたものが開示されているが、これらの角度は任意に変更可能なこと既に述べたとおりである。
【００３３】
図５は本発明の毛染め用くしのさらに他の実施の形態（実施の形態４）を示すもので、同図ａは全体構成の概要を示す正面図、同図ｂは刷毛部の部分を拡大して示す側面図、同図ｃは同図ａのＢ−Ｂ線で切断し、一部を拡大して示す断面図である。
【００３４】
実施の形態４の毛染め用くしにおいて、実施の形態１で既に説明した構成と共通する部材等には同一符号を付して説明を省略する。実施の形態４は刷毛部及びスライス部の構成、並びに柄部１に対する取付け手段の構成に特徴がある。
【００３５】
実施の形態４は、刷毛部４をくし台５と別体に形成すると共に刷毛部４の基台部４１にスライス部６を備え、刷毛部４をくし台５に対して着脱可能に取付けるように構成してある。実施の形態４では、基台部４１の下面（刷毛材４２を植設した面と反対側の面）に係合脚片４４，４４を相対して突設すると共に前記脚片４４の先端部に係合爪部４５を設けてある。また、くし台５の所定部に前記両脚片４４をそれぞれ嵌合する嵌合孔５１，５１を、前記両脚片４４と対応させて設けてある。
前記両脚片４４は前記くし台５の肉厚に対応する長さに形成されている。また、スライス部６は基台部４１の一端部に、基台部４１と一体的に形成して設けてある。
【００３６】
そして、スライス部６をくし台５の先端部から突出させる方向へ向け、前記両脚片４４を嵌合孔５１，５１内にそれぞれ押し込んで嵌合させることにより両爪部４５を嵌合孔５１，５１の縁部と係合させて脱抜を防止し、刷毛部４をくし台５に取付けるように構成してある。この場合、スライス部６をくし台５の先端部から突出させる方向へ向けて刷毛部４をくし台５に取付ける。前記刷毛部４は基台部４１を強く引っ張ることにより、嵌合孔５１から取り外すことができるように構成されている。なお、実施の形態４の毛染め用くしは、柄部１の基端１ａ（くし台５と反対側の端部）に丸味を付与してある。他の構成は実施の形態１と同様である。
【００３７】
実施の形態４の毛染め用くしは上記のように構成され、刷毛部４をくし台５に取付けない状態で箱詰等、包装され、販売される。そして、購入したユーザーが刷毛部４をくし台５に取付けて使用される。実施の形態４の毛染め用くしは実施の形態１と同様に使用される。また、実施の形態４においては、柄部を持ち代えることなく、スライス部を使用することができる。
この場合、スライス部を柄部の基端部側に設けたものにあっては、スライス部を使用する際に、柄部を持ち代える必要がある。そのため、操作が煩雑になると共に持ち代える際に染毛剤が手や衣服その他に付着する恐れがある。
【００３８】
なお、実施の形態４においては、スライス部６を基台部４１と一体的に形成した例を開示したが、スライス部６を基台部４１に着脱可能に構成することもできる。また、前記刷毛部４は、基台部４１の前記脚片４４を嵌合孔５１へ一旦嵌合した後は、取外しできないように構成することもできる。
また、刷毛部４をくし台５に取付ける取付け手段は一例として開示したもので、他の任意の構成に変更できること勿論である。この点に関しては後述する実施の形態においても同様である。
【００３９】
図６は本発明の毛染め用くしのさらに他の実施の形態（実施の形態５）の全体構成の概要を示す正面図である。この毛染め用くしにおいて、上述した実施の形態で既に説明した構成と共通する部材等には同一符号を付し、説明を省略する。実施の形態５は小型のくし部及びスライス部の構成、並びに柄部に対する取付け手段の構成に特徴がある。
【００４０】
実施の形態５においては、実施の形態３（図４参照）と同様に、くし部２をくし台５の一側面部側に配置すると共に刷毛部４を他側面部側に配置して設けてある。そして実施の形態５は、小型のくし部３をくし台５と別体に形成すると共に小型のくし部３の前記くし台３２にスライス部６を備え、小型のくし部３をくし台５の正面又は背面に着脱可能に取付けるように構成してある。
【００４１】
実施の形態５のスライス部６は小型のくし用のくし台３２と一体的に形成して設けてある。小型のくし部３のくし台５に対する取付け手段は、実施の形態４の刷毛部４の取付け手段と同様の構成を採用することができる。また、スライス部６をくし台５の先端部から突出させる方向へ向けて小型のくし部３をくし台５に取付けるように構成することについても実施の形態４と同様である。なお、実施の形態５の柄部１の基端１ａも実施の形態４と同様に形成されている。他の構成については実施の形態１と同様である。
【００４２】
実施の形態５の毛染め用くしは上記のように構成され、実施の形態４と同様に使用される。これにより実施の形態４と同様の作用効果を奏する。また、実施の形態５において、スライス部６は前記小型のくし用のくし台３２に着脱可能に構成することもできる。また、小型のくし部３は、実施の形態４と同様に、くし台５に一旦取付けた後は、取外しできないように構成することもできる。
【００４３】
なお、上記した実施の形態は一例として開示したもので、本発明はこれらの実施の形態に限定されるものではなく、特許請求の範囲に記載の技術思想を越脱しない範囲内において任意に変更可能なものである。
【図面の簡単な説明】
【００４４】
【図１】本発明の毛染め用くしの一実施の形態を示す図であって、同図ａは全体構成の概要を示す正面図、同図ｂは同上染め用くしに採用したスライス部を示す正面図、同図ｃは同図ａのＡ−Ａ線拡大断面図である。
【図２】図１の毛染め用くしの要部の概要を示す斜視図である。
【図３】本発明の毛染め用くしの他の実施の形態の要部を示す説明図である。
【図４】本発明の毛染め用くしのさらに他の実施の形態の要部概要を示す図であって、同図ａは正面図、同図ｂは同図ａのＢ−Ｂ線断面図である。
【図５】本発明の毛染め用くしのさらに他の実施の形態を示す図であって、同図ａは全体構成の概要を示す正面図、同図ｂは刷毛部の部分を拡大して示す側面図、同図ｃは同図ａのＢ−Ｂ線で切断し、一部を拡大して示す断面図である。
【図６】本発明の毛染め用くしのさらに他の実施の形態の全体構成の概要を示す正面図である。
【符号の説明】
【００４５】
１  柄部
２  くし部
３  小型のくし部
４  刷毛部
【図１】
2005021666.tif 000003
【図２】
2005021666.tif 000004
【図３】
2005021666.tif 000005
【図４】
2005021666.tif 000006
【図５】
2005021666.tif 000007
【図６】
2005021666.tif 000008